(57)【要約】【課題】紙葉類を大きく屈曲させることなく、確実に分岐搬送できるようにする。【解決手段】分岐レバーに搬送べルトを介して対向する状態で設けられ、搬送ベルトの走行をガイドするガイドローラと、このガイドローラを弾性的に付勢して所定位置に位置決めする位置決め手段とを具備し、ガイドローラは、搬送ベルトによって挟持搬送される紙葉類から押圧力を受けることにより、位置決め手段の付勢力に抗して所定位置から退避する。【選択図】図２
2014084213.tif 000002
【特許請求の範囲】
【請求項１】
走行する搬送ベルトによって紙葉類を挟持搬送する搬送手段と、
前記搬送ベルトによって挟持搬送される前記紙葉類の搬送方向を第１の方向、及びこの第１の方向と異なる第２の方向に分岐する分岐レバーと、
この分岐レバーに前記搬送べルトを介して対向する状態で設けられ、前記搬送ベルトの走行をガイドするガイドローラと、
このガイドローラを弾性的に付勢して所定位置に位置決めする位置決め手段とを具備し、
前記ガイドローラは、前記搬送ベルトによって挟持搬送される紙葉類から押圧力を受けることにより、前記位置決め手段の付勢力に抗して前記所定位置から退避する紙葉類分岐搬送装置。
【請求項２】
前記位置決め手段は、前記ガイドローラの移動に伴って連動する連動部材と、この連動部材を弾性的に付勢することにより前記ガイドローラを所定位置に位置決めする付勢部材を備える請求項１記載の紙葉類分岐搬送装置。
【請求項３】
前記連動部材は、前記ガイドローラを一端部側に支持する支持レバーと、この支持レバーの他端部側に保持シャフトを介して接続される回動ローラとを有し、
前記支持レバーは、前記保持シャフトを中心にして正逆方向に回動し、
前記回動ローラは、前記支持レバーの回動に伴って前記保持シャフトを介して正逆方向に回動する請求項２記載の紙葉類分岐搬送装置。
【請求項４】
前記回動ローラの周面部に一体的に突設され、該回動ローラの回動に伴ってその周方向に移動する突起体を有し、
この突起体は前記付勢部材に接続されて付勢されることにより、前記回動ローラ及び前記支持レバーを回動させて前記ガイドローラを所定位置に向かって移動させる請求項３記載の紙葉類分岐搬送装置。
【請求項５】
前記付勢部材により付勢されて移動する前記突起体を当接させて停止させ、前記ガイドローラを所定位置に位置決めするストッパを備える請求項４記載の紙葉類分岐搬送装置。
【発明の詳細な説明】
【技術分野】
【０００１】
本発明の実施形態は、紙葉類分岐搬送装置に関する。
【背景技術】
【０００２】
書状取り扱い搬送機や、郵便書状区分機等では、一つの搬送路から複数の分岐後搬送部に書状を切り替えて搬送する紙葉類分岐搬送装置を備えている。
【０００３】
この紙葉類分岐搬送装置では、一つの搬送路と複数の分岐後搬送部との間に切換えゲートを備え、この切換えゲートを動作させることにより、紙葉類の搬送方向を切り替えて複数の分岐後搬送部に選択的に導入させて搬送するようになっている。
【先行技術文献】
【特許文献】
【０００４】
【特許文献１】特開平９−３０７０７号公報
【発明の概要】
【発明が解決しようとする課題】
【０００５】
しかしながら、従来においては、柔らかい紙葉類を挟持搬送することを前提とし、切換えゲートにより紙葉類を大きく屈曲させていたため、分岐できる紙葉類の厚さや、硬さに制限があり、分岐性能に問題があった。
【０００６】
なお、一つの搬送路と複数の分岐後搬送部との間のスペースを大きくすることにより、紙葉類を大きく屈曲させることなく分岐することが可能となるが、この場合には、紙葉類を挟持できなくなる部分が生じ、搬送安定性が損なわれてしまうという問題がある。
【０００７】
本実施形態では、紙葉類を大きく屈曲させることなく、しかも、搬送安定性を維持して分岐搬送できるようにした紙葉類分岐搬送装置を提供することを目的とする。
【課題を解決するための手段】
【０００８】
上記した課題を解決するため、実施の形態は、走行する搬送ベルトによって紙葉類を挟持搬送する搬送手段と、前記搬送ベルトによって挟持搬送される前記紙葉類の搬送方向を第１の方向、及びこの第１の方向と異なる第２の方向に分岐する分岐レバーと、この分岐レバーに前記搬送べルトを介して対向する状態で設けられ、前記搬送ベルトの走行をガイドするガイドローラと、このガイドローラを弾性的に付勢して所定位置に位置決めする位置決め手段とを具備し、前記ガイドローラは、前記搬送ベルトによって挟持搬送される紙葉類から押圧力を受けることにより、前記位置決め手段の付勢力に抗して前記所定位置から退避する。
【図面の簡単な説明】
【０００９】
【図１】一実施の形態である郵便物処理装置を示す概略的構成図。
【図２】図１の分岐搬送装置を示す図。
【図３】図２の搬送ベルトのガイドローラの支持装置を示す図。
【図４】図３のガイドローラが上方へ退避する状態を示す図。
【図５】図２の分岐搬送装置が薄い郵便物を第１の方向に分岐する状態を示す図。
【図６】図２の分岐搬送装置が薄い郵便物を第２の方向に分岐する状態を示す図。
【図７】図２の分岐搬送装置が厚い郵便物を第１の方向に分岐する状態を示す図。
【図８】図２の分岐搬送装置が厚い郵便物を第２の方向に分岐する状態を示す図。
【発明を実施するための形態】
【００１０】
以下、本実施の形態について、図面を参照して説明する。
【００１１】
図１は、一実施の形態である郵便物処理機を示す平面図である。
【００１２】
図中１は、ホッパーで、このホッパー1内には市中のポスト等から集められてきた郵袋から取り出された紙葉類としての郵便物が投入される。このホッパー１に投入される郵便物は、機械処理できる定型郵便物と機械処理できない定型外郵便物が混在している。
【００１３】
ホッパー１には厚さ選別部２ａ及び幅選別部２ｂが接続されている。厚さ選別部２ａ及び幅選別部２ｂは所定厚さ以上の郵便物と所定幅以上の定型外の郵便物を排除し、定型の郵便物のみを通過させる。
【００１４】
厚さ選別部２ａ及び幅選別部２ｂには重なった状態の郵便物をずらすための、ずらし部３が接続され、このずらし部３には郵便物を一通ずつ取り出す一通取出部４が接続されている。一通取出部４には郵便物を集積し供給するバッファーフィーダ部５が接続されている。また、バッファーフィーダ部５には、人の手によって揃えられた定型郵便物を追加投入するためのローカルフィーダー部７が接続されている。
【００１５】
バッファーフィーダ部５は、定型郵便物を１通ずつ取り出して搬送路８へ立位状態で送り出すものである。搬送路８中には、郵便物の姿勢を修正する姿勢制御部１０が設けられ、この姿勢制御部１０の郵便物送出側には姿勢が修正されなかった郵便物を排除させるための排除部１１が設けられている。
【００１６】
また、郵便物の搬送方向には、第１及び第２の読取手段１３，１４が配設されている。排除部１１に排除されなかった郵便物は、第１の読取手段１３によってその表裏面の画像が読み取られ、続いて第２の読取手段１４によって同じく表裏面の画像が読み取られる。
【００１７】
第２の読取手段１４の搬出側には、郵便物上の料額印の種類及び位置情報など基づいて郵便物の方向を揃えるためのスイッチバック部１６が接続されている。スイッチバック部１６の搬出側には郵便物を上下反転させる反転制御部１７、及び正転制御部１８、さらに、郵便物上の料額印を消印する消印部Ｓが接続されている。
【００１８】
消印部Ｓの搬出側には複数個の集積部１９が接続され、第１及び第２の読取手段１３，１４の画像読取情報に基づいて集積部１９に郵便物が区分集積されるようになっている。
【００１９】
次に、上記した郵便処理機の処理動作について説明をする。
【００２０】
まず、市中のポスト等から集められてきた郵袋から郵便物を取り出し、これをホッパー１内に投入する。ホッパー１に投入された郵便物は、厚さ、幅選別部２ａ、２ｂに送られて厚さ、幅が選別される。これにより、所定厚さ以上の郵便物と所定幅以上の定型外郵便物が排除され、定型の郵便物のみが通過する。この定型郵便物が重なっている場合には、ずらし部３でずらされたのち、一通取出部４によって一通ずつ取り出される。この取り出された郵便物は、バッファーフィーダ部５へ供給される。追加投入の郵便物がある場合には、ローカルフィーダー部７からバッファーフィーダ部５へ郵便物が供給される。この供給後、バッファーフィーダ部５から定型郵便物が１通ずつ取り出され、搬送路８へ供給される。搬送路８へ供給された定型郵便物は、姿勢制御部１０を通ることによってその搬送姿勢が正しい状態に修正される。姿勢が正しく修正されない郵便物は、排除集積部に排除される。排除されなかった郵便物は、第１の読取手段１３によってその表裏面の画像が読み取られ、続いて第２の読取手段１４によって同じく表裏面の画像が読み取られる。この読取後、郵便物は、方向を揃えるためのスイッチバック部１６でスイッチバックされ、或いはスイッチバックされることなく搬送され、ついで、反転部１７で反転され、或いは正転部１８を通過する。これにより、郵便物上の料額印の位置が揃えられ、この料額印は消印部Ｓで消印される。そして、この消去後、第１及び第２の読取手段１３，１４によって読み取られた画像読取情報に基づいて集積部１９に郵便物が区分集積される。
【００２１】
図２は、上記した複数の集積部１９の郵便物搬入側に配設される分岐搬送装置２０を示す平面図である。
【００２２】
分岐搬送装置２０は、画像読取情報に基づいて動作し、郵便物の搬送方向を切り替えて集積部１９に区分集積させるものである。
【００２３】
分岐搬送装置２０は、ローラ２１〜２３間に掛け渡されて矢印方向に走行する第１の搬送ベルト２５と、ローラ２７，２８間に掛け渡されて矢印方向に走行し、第１の搬送ベルト２５とにより郵便物を挟持搬送する第２の搬送ベルト２９とを有している。
【００２４】
また、ローラ２１とローラ２３との間に掛け渡される第１の搬送ベルト２５の略中間部はガイドローラ３１によってガイドされている。このガイドローラ３１は後で詳しく述べる支持装置３０によって支持される。
【００２５】
第１の搬送ベルト２５と第２の搬送ベルト２９とは、ガイドローラ３１を境として互いに離間する方向に走行され、この離間するスペース内には、ローラ３２，３３が配設されている。ローラ３２には第１の搬送ベルト２５とにより郵便物を挟持搬送する第３の搬送ベルト３５が掛け渡され、ローラ３３には第２の搬送ベルト２９とにより郵便物を挟持搬送する第４の搬送ベルト３６が掛け渡されている。
【００２６】
また、ローラ２７，２８間には、分岐レバー３８がガイドローラ３１と第１及び第２の搬送ベルト２５，２９を介して離間対向する状態で設けられている。この分岐レバー３８は、支軸３９を中心して回動自在に設けられ、回動することにより郵便物の搬送方向を矢印ａで示す第１の方向、或いは矢印ｂで示す第２の方向に切り替えるようになっている。
【００２７】
搬送方向が矢印ａで示すように第１の方向に切り替えられた郵便物は、第２の搬送ベルト２９と第４の搬送ベルト３６とによって挟持搬送され、矢印ｂで示すように第２の方向に切り替えられた郵便物は、第１の搬送ベルト２５と第３の搬送ベルト３５とによって挟持搬送される。
【００２８】
分岐レバー３８の郵便物搬入側には検知センサ４０が設けられている。分岐レバー３８は検知センサ４０によって郵便物が検知されると、読み取られた区分情報に基づいて動作するようになっている。
【００２９】
図３は上記したガイドローラ３１の位置決め手段としての支持装置３０を示す構成図である。
【００３０】
ガイドローラ３１は、連動部材としての支持レバー４１の一端部側に回転自在に支持されている。支持レバー４１の他端部側は、連動部材としての回動ローラ４３の保持シャフト５０に同軸一体的に接続され、保持シャフト５０は図示しない装置フレームに回転自在に支持されている。
【００３１】
回動ローラ４３の周面部にはフラット面４３ａが形成され、このフラット面４３ａ上に突起体としての固定具４４が突設されている。この固定具４４の上端部側には付勢部材としてのコイルスプリング４５の一端部側が接続され、他端部側は保持具４７に接続されている。
【００３２】
また、コイルスプリング４５の下方部にはストッパ４８が設けられ、このストッパ４８には、コイルスプリング４５によって付勢される固定具４４が当接されて停止されるようになっている。
【００３３】
上記した構成において、コイルスプリング４５の付勢力により回動ローラ４３が図３に矢印で示すように反時計方向に回動し、これに伴って支持レバー４２が反時計方向に回動する。この回動によりガイドローラ３１が所定位置に到達すると、固定具４４がストッパ４８に当接して停止する。
【００３４】
また、図３に示す状態からガイドローラ３１に対し図４に矢印で示すように所定位置から離れる方向の力が付与されると、支持レバー４２及び回動ローラ４３がコイルスプリング４５の付勢力に抗して保持シャフト５０を中心にして時計方向に回動し、ガイドローラ３１が所定位置から退避されるようになっている。
【００３５】
次に、上記したように構成される分岐搬送装置の動作について説明する。
【００３６】
まず、図５に示すように薄い郵便物Ｐ１を矢印ａで示す第１の方向に搬送する場合には、分岐ゲート３８が矢印で示すように反時計方向に回動され、郵便物Ｐ１は第２の搬送ベルト２９と第４の搬送ベルト３６とによって挟持搬送される。
【００３７】
また、図６に示すように薄い郵便物Ｐ１を矢印ｂで示す第２の方向に分岐搬送する場合には、分岐ゲート３８が矢印で示すように時計方向に回動される。これにより、郵便物Ｐ１はガイドローラ３１で屈曲されて第２の方向に搬送方向が切り替えられて第１の搬送ベルト２５と第３の搬送ベルト３５とによって挟持搬送される。
【００３８】
また、図７に示すように厚い郵便物Ｐ２を矢印ａで示す第１の方向に搬送する場合には、分岐ゲート３８が矢印で示すように反時計方向に回動され、厚い郵便物Ｐ２は第２の搬送ベルト２９と第４の搬送ベルト３６とによって第１の方向に挟持搬送される。
【００３９】
また、図８に示すように厚い郵便物Ｐ２を矢印ｂで示す第２の方向に分岐搬送する場合には、分岐ゲート３８が矢印で示すように時計方向に回動され、厚い郵便物Ｐ２はガイドローラ３１に向かって押し込められる。これにより、ガイドローラ３１は矢印方向に移動されて所定位置から退避する。このとき、支持レバー４２、及び回動ローラ４３はコイルスプリング４５の付勢力に抗して矢印方向に回動する。
【００４０】
ところで、上記した矢印ｂで示す第２の方向への分岐搬送時において、郵便物が薄かったり、柔らかなものであった場合には、ガイドローラ３１は定位置にあっても問題はない。
【００４１】
しかしながら、郵便物が厚かったり、プラスチックなどの硬いものを含有したした場合には、ガイドローラ３１が定位置にあると、過度に屈曲されて郵便物を損傷させたり、搬送ベルトにダメージを与えるといた問題が生じる。
【００４２】
この実施の形態では、上記したように郵便物が厚かったり、硬質のものであった場合には、図８に示すように、ガイドローラ３１を矢印で示すように、移動させて定位置から退避させるため、郵便物Ｐ２を過度に屈曲させて損傷させたり、搬送ベルト２５にダメージを与えるといたことを確実に防止することができる利点がある。
【００４３】
また、紙葉類の分岐時に紙葉類を挟持できなくなる部分が生じることもなく、搬送安定性も良好に維持することができる。
【００４４】
なお、上記した実施形態は、例として提示したものであり、発明の範囲を限定することは意図していない。この新規な実施形態は、その他の様々な形態で実施されることが可能であり、発明の要旨を逸脱しない範囲で、種々の省略、置き換え、変更を行うことができる。また、実施形態やその変形は、発明の範囲や要旨に含まれるとともに、特許請求の範囲に記載された発明とその均等の範囲に含まれる。
【符号の説明】
【００４５】
２５，２９，３５，３６…搬送ベルト（搬送手段）、Ｐ１，Ｐ２…郵便物（紙葉類）、ａ…第１の方向、ｂ…第２の方向、３０…支持装置（位置決め手段）、３１…ガイドローラ、３８…分岐レバー、４２…支持レバー（連動部材）、４３…回動ローラ（連動部材）、４４…固定具（突起体）、４５…コイルスプリング（付勢部材）
４８…ストッパ、５０…保持シャフト。
【図１】
2014084213.tif 000003
【図２】
2014084213.tif 000004
【図３】
2014084213.tif 000005
【図４】
2014084213.tif 000006
【図５】
2014084213.tif 000007
【図６】
2014084213.tif 000008
【図７】
2014084213.tif 000009
【図８】
2014084213.tif 000010